(57)【要約】  本発明は、長軸線（３０）の周りに配される放電ランプ（１）及び凹面リフレクタ（１１）を備える高圧放電ランプアセンブリに関する。この放電ランプは、気密に閉じられ、第１及び第２の端部（３，４）並びにイオン化可能なガス充填物を有し、この放電ランプ内に一対の電極が配される。第１及び第２の電流供給導体（７，８）は、一対の電極に接続され、第１及び第２の端部からそれぞれ外部に延び出している。放電ランプの第１の端部は、リフレクタの中央セクションの開口（１４）を通って延在する。導通部材（９）は、第２の電流供給導体に接続され、リフレクタの中央セクションの開口を通って延在する。この導通部材は、放電ランプから離れた側のリフレクタの表面に設けられる接触部材に接続される。
2007523445.tif 000002
【特許請求の範囲】
【請求項１】
長軸線の周りに配される放電ランプ及び凹面リフレクタと、第１の電流供給導体及び第２の電流供給導体と、導通部材とを有する高圧放電ランプアセンブリであって、
前記放電ランプが、気密に閉じられ、第１及び第２の端部並びにイオン化可能なガス封入物を有し、前記放電ランプの内部に一対の電極が配され、
前記第１の電流供給導体及び前記第２の電流供給導体が、前記一対の電極に接続され、前記第１及び前記第２の端部からそれぞれ外部に延び出し、
前記放電ランプの前記第１の端部が、前記リフレクタの中央セクションの開口を通って延在し、
前記導通部材が、前記第２の電流供給導体に接続され、前記リフレクタの前記中央セクションの前記開口を通って延在し、
前記導通部材が、前記放電ランプから離れた側の前記リフレクタの表面に設けられた接触部材に接続される、
高圧放電ランプアセンブリ。  
【請求項２】
前記リフレクタが、前記長軸線の周りに配されるネック部を備え、前記導通部材が、前記放電ランプから離れた側の前記ネック部の表面に設けられることを特徴とする、請求項１に記載の高圧放電ランプアセンブリ。
【請求項３】
前記接触部材が、前記リフレクタ付近の環状導電性ストリップとして供給されることを特徴とする、請求項１又は２に記載の高圧放電ランプアセンブリ。
【請求項４】
他の接触部材が、前記リフレクタの前記表面に設けられ、前記他の接触部材が、前記第１の電流供給導体に接続されることを特徴とする、請求項１又は２に記載の高圧放電ランプアセンブリ。
【請求項５】
前記他の接触部材が、前記リフレクタ付近の環状導電性ストリップとして供給されることを特徴とする、請求項４に記載の高圧放電ランプアセンブリ。
【請求項６】
前記ネック部が、前記導通部材を通すための開口を備えることを特徴とする、請求項２に記載の高圧放電ランプアセンブリ。
【請求項７】
前記放電ランプが、前記リフレクタの前記ネック部に設けられる固定手段に取り付けられ、前記導通部材が、前記固定手段を通って導かれることを特徴とする、請求項２に記載の高圧放電ランプアセンブリ。
【請求項８】
前記リフレクタの前記ネック部が、絶縁材料からなる実質的に回転対称のランプキャップを備え、前記ランプキャップが、前記接触部材を備えることを特徴とする、請求項２に記載の高圧放電ランプアセンブリ。
【請求項９】
前記接触部材が、前記ランプキャップ付近の環状導電性ストリップとして供給されることを特徴とする、請求項８に記載の高圧放電ランプアセンブリ。
【請求項１０】
前記ランプキャップが、前記接触部材を固定させるための複数のインデントを備えることを特徴とする、請求項８に記載の高圧放電ランプアセンブリ。
【請求項１１】
前記他の接触部材は、前記長軸線が前記ランプキャップと交差する位置で前記ランプキャップに設けられることを特徴とする、請求項８に記載の高圧放電ランプアセンブリ。
【発明の詳細な説明】
【技術分野】
【０００１】
本発明は、リフレクタ及び放電ランプを有する高圧放電ランプアセンブリに関する。
【背景技術】
【０００２】
リフレクタを備える高圧放電ランプは、リフレクタ内で位置付けられる場合の風景照射、例えば、写真、映画又はビデオ撮影に使用するために設計される。更に、高圧放電ランプアセンブリは、画像、ビデオなどを投影するための、いわゆる、投影装置において使用される。このような投影装置は、一般に、液晶ディスプレイ技術を組み込む。
【０００３】
高圧放電ランプ、例えば、超高性能（ＵＨＰ：Ultra High Performance）ランプは、店舗照明、家庭照明、ヘッドランプ、アクセント照明、スポーツ照明、劇場照明、民生用テレビジョン用途及び光ファイバー用途で使用される。
【０００４】
一般に、冒頭段落に記載された種類の高圧放電ランプは、セラミック壁をもつ放電容器を備えるか、又は石英ガラス製の放電容器を備える。このような高圧放電ランプは、実際に広く使用され、高い発光効率と好ましいカラー特性とを合わせ持つ。このランプの放電容器は、水銀（Ｈｇ）及び希ガス封入物に加えて一つ又は複数のハロゲン化金属を含有することができる。
【０００５】
特開平９−２８８９０２号公報は、放電ランプ及び凹面リフレクタを有する高圧放電ランプアセンブリを記載している。この放電ランプは、第１及び第２の端部並びにイオン化可能な封入物を有する両端封止タイプである。放電ランプ内に、一対の電極が配される。放電ランプの一端は、凹面リフレクタの基底部の開口に取り付けられて保持される。電気的安全性の必要条件を改善するために、電気接続手段の一方が、リフレクタの凹面部の孔を通って外部リードロッドに接続される。
【発明の開示】
【発明が解決しようとする課題】
【０００６】
知られている高圧放電ランプアセンブリの欠点は、リフレクタの凹面部に電気接続手段を通すための孔があけられなければならず、これにより、高圧放電ランプアセンブリの製造が比較的複雑になることである。
【０００７】
本発明の目的は、上記の欠点を完全に又は部分的に排除することにある。
【課題を解決するための手段】
【０００８】
本発明によれば、この目的のために、冒頭段落に記述された種類の高圧放電ランプアセンブリは、
長軸線の周りに配される放電ランプ及びリフレクタと、第１の電流供給導体第２の電流供給導体と、導通部材とを有する高圧放電ランプアセンブリであって、
放電ランプが、気密に閉じられ、第１及び第２の端部並びにイオン化可能なガス封入物を有し、放電ランプの内部に一対の電極が配され、
第１の電流供給導体第２の電流供給導体が、一対の電極に接続され、第１及び第２の端部からそれぞれ外部に延び出し、
放電ランプの第１の端部が、リフレクタの中央セクションの開口を通って延在し、
導通部材が、第２の電流供給導体に接続され、リフレクタの中央セクションの開口を通って延在し、
導通部材が、放電ランプから離れた側のリフレクタの表面に設けられた接触部材に接続される、高圧放電ランプアセンブリである。
【０００９】
導通部材をリフレクタの中央セクションの開口を介して延在させ、導通部材を放電ランプから離れた側のリフレクタの表面に設けられる（電気）接触部材に接続させることによって、リフレクタの凹面部に穴をあけることが避けられる高圧放電ランプアセンブリが得られる。導通部材は、放電ランプに沿って伸び、リフレクタの中央セクションの開口を介して延在する。本発明による高圧放電ランプアセンブリは、この放電ランプの同じ側面に２つの電気接点をもち、これらの接点により、当該アセンブリを電源に対して機械的に接続及び電気的に接続させることが比較的簡単になる。特に、高いワット数の放電ランプ及び高い点灯電圧をもつランプについてのかなり厳しい電気的安全性の必要条件は、本発明による高圧放電ランプにより満たされる。更に、本発明による放電ランプは、コンパクトな高圧放電ランプである。
【００１０】
好ましくは、リフレクタが、長軸線の周りに配されるネック部を備え、導通部材が、放電ランプから離れた側のネック部の表面に設けられる。リフレクタのネック部は、リフレクタの中央部の拡張部分（extension，延在部分）である。ネック部は、リフレクタに放電ランプを収め、リフレクタ内での放電ランプの正確な位置付けを確実にする。
【００１１】
高圧放電ランプアセンブリの他の好ましい実施形態は、ランプキャップが、導通部材を通すための開口を備えることを特徴とする。
【００１２】
好ましくは、放電ランプが、リフレクタのネック部に設けられた固定手段に取り付けられ、導通部材が固定手段を通って導かれる。この固定手段は、好ましくは、セメント又は他の適切なセメンティング（cementing，セメント接合）材料であり、リフレクタ内での放電ランプの正確な位置付けを確実にする。代替の実施形態では、固定手段が、放電ランプをリフレクタ内で固定させるための機械的構造を有している。
【００１３】
本発明による高圧放電ランプアセンブリの好ましい実施形態では、接触部材が、リフレクタ付近の環状導電性ストリップとして供給される。この環状導電性ストリップにより、いかなる回転位置においても高圧放電ランプアセンブリをホルダ内に挿入させることができる。
【００１４】
高圧放電ランプアセンブリの他の好ましい実施形態では、他の接触部材が、リフレクタの表面に設けられ、他の接触部材が、第１の電流供給導体に接続される。好ましくは、他の接触部材が、リフレクタ付近の環状導電性ストリップとして供給される。この（他の）導電性ストリップにより、いかなる回転位置においても高圧放電ランプアセンブリをホルダ内に挿入させることができる。
【００１５】
高圧放電ランプアセンブリの他の好ましい実施形態は、リフレクタのネック部が、絶縁材料からなる実質的に回転対称のランプキャップを備え、ランプキャップが、接触部材を備えることを特徴とする。このランプキャップは、高圧放電ランプアセンブリの寸法が比較的小さくなり得るように用意される。更に、安全性の必要条件は、絶縁材料からなる適切なランプキャップを供給することによって引き続き満たされることができる。
【００１６】
本発明による高圧放電ランプアセンブリの好ましい実施形態では、接触部材が、ランプキャップ付近の環状導電性ストリップとして供給される。好ましくは、ランプキャップが、接触部材を固定させるための複数のインデントを備える。これらのインデントは、導通ストリップをランプキャップに固定させるための固定手段を提供する。
【００１７】
高圧放電ランプアセンブリの他の好ましい実施形態は、他の接触部材が、長軸線がランプキャップと交差する位置でランプキャップに設けられることを特徴とする。
【００１８】
本発明のこれら及び他の実施態様は、本明細書の以下に説明される実施形態から明らかとなり、これらの実施形態を参照することにより明瞭に説明される。
【００１９】
各図は、単に概略であり正確な縮尺で描かれたものではない。特に、寸法の中には、見やすいように強く誇張された形で示されるものもある。各図において類似した構成要素は、可能な限り同じ参照符号によって示される。
【発明を実施するための最良の形態】
【００２０】
図１は、長軸線３０の周りに配される放電ランプ１及び凹面リフレクタ１１を有する高圧放電ランプアセンブリの第１の実施形態を概略的に示す。この放電ランプ１は、セラミック壁を備えている。図１の実施例では、放電ランプは石英ガラスから作製される。代替の実施形態では、この壁が、セラミック材料から、例えば、単結晶の金属酸化物（例えば、サファイヤ）、高密度に焼結された多結晶の金属酸化物（例えば、酸化アルミニウム、ＹＡＧ）及び高密度に焼結された多結晶の金属窒化物（例えば、窒化アルミニウム）から作製される。
【００２１】
図１の放電ランプ１は、気密に閉じられ、第１の端部３及び第２の端部４を有している。放電ランプ１は、水銀及び希ガス封入物に加えて、ハロゲン化金属の封入物を含有する放電空間を気密に囲む。水銀放電ランプと比べるとＵＨＰランプについては、放電容器１が、水銀の他に臭化物及びアルゴンを含有する。更に、一対の電極５，６が、放電容器１に配されている。図１の実施例において、放電空間における放電を維持するための手段は、放電空間に配された電極５，６であり、これらの電極５，６が、第１及び第２の端部３，４によってそれぞれ支持されている。電極５，６は、電子を発する物質で覆われるタングステン製の巻線である。ＵＨＰランプの場合、電極は、通常、タングステンから作製され、中央ロッドに溶接された二重コイルをもつ中央ロッドである。
【００２２】
第１の電流供給導体７及び第２の電流供給導体８は、一対の電極５，６に接続されている。第１の電流供給導体７及び第２の電流供給導体８は、第１の端部３及び第２の端部４からそれぞれ外部に延び出している。放電ランプ１の第１の端部３は、リフレクタ１１の中央セクションの開口１４を通って延在する。導通部材９は、第２の電流供給導体８に接続されている。（電気）導通部材９は、放電ランプ１に沿って伸び、リフレクタ１１の中央セクションの開口１４を通って延在する。導通部材９は、放電ランプ１から離れた側のリフレクタ１１の表面に設けられた（電気）接触部材１０に、接続されている。
【００２３】
図１の実施例において、リフレクタ１１は、長軸線３０の周りに構成されるネック部１２を備えている。接触部材１０は、放電ランプ１から離れた側のネック部１２の表面に設けられている。更に、接触部材１０は、リフレクタ１１（のネック部）付近の環状導電性ストリップとして供給されている。この環状導電性ストリップによって、いかなる回転位置においても高圧放電ランプアセンブリをホルダに挿入させることができる。
【００２４】
（図１では示されない）高圧放電ランプアセンブリの代替の実施形態では、ネック部１２が、導通部材９を通すための開口を備えている。
【００２５】
図１の実施例では、他の接触部材２０が、リフレクタ１１の表面に設けられている。他の接触部材２０は、第１の電流供給導体７に接続されている。更に、他の接触部材２０は、リフレクタ１１付近の環状導電性ストリップとして供給されている。この環状導電性ストリップによって、いかなる回転位置においても高圧放電ランプアセンブリをホルダに挿入させることができる。
【００２６】
図１では、放電ランプ１は、リフレクタ１１のネック部１２に設けられた固定手段２５に取り付けられている。導通部材９は、固定手段２５を通って導かれる。固定手段２５は、好ましくは、セメント又は他の適切なセメンティング材料であり、リフレクタ内での放電ランプの正確な位置付けを確実にする。一般に、セメントには２種類ある。空気中で乾燥しているセメントと、化学的な態様で硬化されるセメントとである。後者のセメントは、リン酸塩（phosphate，フォスフェイト）に基づくセメントと、水ガラスに基づくセメントとに分けられることができる。照明業界では、好ましくは、水ガラスに基づくセメントが利用される。
【００２７】
図２は、本発明による高圧放電ランプアセンブリの第２の実施形態を断面図で示す。図２の実施形態では、固定手段２５Ａが、リフレクタ１１に放電ランプ１を固定させるための機械的構造を有している。この実施形態では、リフレクタ１１がネック部を備えていない。放電ランプ１の第１の端部３は、リフレクタ１１の中央セクションの開口１４を通って延在している。（電気）導通部材９は、放電ランプ１に沿って伸び、放電ランプ１から離れた側のリフレクタ１１の表面に設けられた（電気）接触部材１０Ａに、接続されている。接触部材１０Ａは、リフレクタ１１の中央セクションの開口１４を通って延在している。図２の実施例では、接触部材１０Ａは、機械的固定手段２５Ａの一部を形成する。図２の実施例では、他の接触部材２０Ａが、第１の電流供給導体７に直接接続されている。
【００２８】
図３Ａは、本発明による高圧放電ランプアセンブリの第３の実施形態を概略的に断面図で示す。絶縁材料からなる実質的に回転対称のランプキャップ２１が、リフレクタ１１のネック部１２付近に設けられている。この実施形態では、ランプキャップ２１が、接触部材１０Ｂを備えている。図３Ａの実施例では、接触部材１０Ｂが、ランプキャップ２１付近の環状導電性ストリップとして供給されている。更に、接触部材１０Ｂは、ランプキャップ２１の形状に部分的に沿うように折り曲げられている。図３Ａの実施例では、接触部材１０Ｂが、リフレクタ１１の中央セクションの開口１４内に延在している。好ましくは、接触部材１０Ｂは、リフレクタ１１の中央セクションの開口１４の（電気）接触部材９に接続されている。この電気接続は、好ましくは、固定手段２５内で行なわれる。
【００２９】
本発明による高圧放電ランプアセンブリによって、高いワット数の放電ランプに対する電気的安全性の必要条件だけでなく、高い点灯電圧をもつランプに対する電気的安全性の必要条件もが満たされる。更に、本発明による放電ランプは、コンパクトな高圧放電ランプである。
【００３０】
図３Ａの実施形態において、他の接触部材２０Ｂは、長軸線３０がランプキャップ２１を横切る位置でランプキャップ２１に設けられている。好ましくは、他の接触部材２０Ｂは、ランプキャップ２１の凹所に設けられている。
【００３１】
図３Ｂは、図３Ａに示される実施形態の詳細部を概略的に示す。ランプキャップ２１は、接触部材１０Ｂをランプキャップ２１に固定させるための（そのうち１つが図３Ｂに示されている）複数のインデント（indent，へこみ）２２を備えている。
【００３２】
インデント２２は、接触部材１０Ｂ又は対応する導電性ストリップをランプキャップ２１に固定させるための固定手段を提供する。
【００３３】
上述された実施形態は、本発明を限定するのではなくむしろ例証するものであり、当業者であれば、添付された請求項の範囲から逸脱することなく、多くの代替実施形態を設計することが可能であろうことに留意されるべきである。各請求項において、括弧内に入れられるいかなる参照符号も、特許請求の範囲を制限するものとして解釈されてはならない。動詞「有する（comprise）」及びその活用形の使用は、請求項に述べられたもの以外の他の構成要素又はステップの存在を除外するものではない。ある構成要素に先行する冠詞「a」又は「an」は、このような構成要素が複数存在することを除外するものではない。本発明は、幾つかの別個の構成要素を有するハードウェアによって、及び適切にプログラムされたコンピュータによって実現されてもよい。幾つかの手段を列挙する装置請求項では、これらの手段の幾つかが、ハードウェアの１つの同じアイテムによって実施されてもよい。或る方策が相互に異なる従属請求項に詳述されるという単なる事実は、これらの方策の組み合わせが有利に使用されることはできないということを示すものではない。
【図面の簡単な説明】
【００３４】
【図１】本発明による高圧放電ランプアセンブリの第１の実施形態を示す断面図である。
【図２】本発明による高圧放電ランプアセンブリの第２の実施形態を示す断面図である。
【図３Ａ】本発明による高圧放電ランプアセンブリの第３の実施形態を示す断面図である。
【図３Ｂ】図３Ａに示される実施形態の詳細部分を示す図である。
【図１】
2007523445.tif 000003
【図２】
2007523445.tif 000004
【図３Ａ】
2007523445.tif 000005
【図３Ｂ】
2007523445.tif 000006